(57)【要約】      （修正有）【課題】内側容器と外側容器との境界領域に内側容器に着色した色の濃淡層を厚さ方向に形成することにより同一色による奥行の生じる着色層を表現することを可能とした合成樹脂製二重容器の提供。【解決手段】射出成形によって着色成形された内側容器を外側容器を成形する金型とし、該内側容器の外表面に射出成形により透明又は半透明の外側容器を成形し、該内・外側容器の材料を同一樹脂とすることにより一体化し、且つその境界領域に内側容器に着色した色の濃淡層を形成してなる合成樹脂製二重容器。【選択図】図４
0003114093.tif 000002
【実用新案登録請求の範囲】
【請求項１】
射出成形によって着色成形された内側容器を外側容器を成形する金型とし、該内側容器の外表面に射出成形により透明又は半透明の外側容器を成形し、該内・外側容器の材料を同一樹脂とすることにより一体化し、且つその境界領域に内側容器に着色した色の濃淡層を形成してなることを特徴とする合成樹脂製二重容器。
【請求項２】
内側容器の外表面側と外側容器の内側とが融合一体化してなることを特徴とする請求項１に記載の合成樹脂製二重容器。
【請求項３】
内側容器の蓋との嵌着部を除いた外側面及び外底面を外側容器で囲繞一体化してなることを特徴とする請求項１又は２に記載の合成樹脂製二重容器。
【請求項４】
内側容器及び外側容器を各々１ｍｍ〜５ｍｍの厚さとしたことを特徴とする請求項１ないし３のいずれかに記載の合成樹脂製二重容器。
【請求項５】
外側容器の外表面を鏡面加工による光沢層としてなることを特徴とする請求項１ないし４のいずれかに記載の合成樹脂製二重容器。
【考案の詳細な説明】
【技術分野】
【０００１】
本考案は、射出成形によって成形された内側容器の周囲に射出成形よりなる透明又は半透明の外側容器を融合一体化してなる合成樹脂製の二重容器を提供するものに関する。
【背景技術】
【０００２】
従来より化粧料等を収納する容器は、その美観を良好とするために該容器に様々な着色や模様を施している。その手段としては、容器そのものを着色したり、容器の表面に紙片や金属箔片或いは着色塗料の付着等により着色層や装飾層を形成したりしている。また、それらの面上にコート層を形成し、それらの着色層や装飾層につやを出したり、劣化や欠落することを防止している。
【０００３】
また、容器を透明或いは半透明とし、該容器の内側に着色層や装飾層を設けているものもある。
【０００４】
更に、特開２００１−２８７２６０号公報のように、透明或いは半透明の外容器の内側表面に装飾手段を施した薄肉層の内容器を設けた二重容器も存在する。
【０００５】
また、特開平７−１２５０００号公報のように、容器を二重とし、内容器と外容器の色を別々とし、該外容器側から内容器の色が可視できるようにしたものも存在する。
【特許文献１】特開２００１−２８７２６０号公報
【特許文献２】特開平７−１２５０００号公報
【考案の開示】
【考案が解決しようとする課題】
【０００６】
上記容器の表面或いはその内側に着色層を設けたものは、たとえ容器に艶消し加飾等を施しても該着色層が平面的なため立体感に乏しいものであった。
【０００７】
また、容器を二重とし、外側容器を透明或いは半透明として内側容器に施された着色層を外側から可視することにより立体感を生じさせているものは、外側容器が単に厚いコーティング層を形成しているように可視され、着色層における色の濃淡を厚さ方向で表現できるものではなかった。
【課題を解決するための手段】
【０００８】
本考案は、上記欠点を解決したもので、内側容器と外側容器との境界領域に内側容器に着色した色の濃淡層を厚さ方向に形成することにより同一色による奥行の生じる着色層を表現することを可能としたものである。
【０００９】
具体的構成として、射出成形によって着色成形された内側容器を外側容器を成形する金型とし、該内側容器の外表面に射出成形により透明又は半透明の外側容器を成形し、該内・外側容器の材料を同一樹脂とすることにより一体化し、且つその境界領域に内側容器に着色した色の濃淡層を形成してなる合成樹脂製二重容器を特徴とする。
【００１０】
また、内側容器の外表面側と外側容器の内側とが融合一体化してなる合成樹脂製二重容器を特徴とする。
【００１１】
更に、内側容器の蓋との嵌着部を除いた外側面及び外底面を外側容器で囲繞一体化してなる合成樹脂製二重容器を特徴とする。
【００１２】
また、内側容器及び外側容器を各々１ｍｍ〜５ｍｍの厚さとした合成樹脂製二重容器を特徴とする。
【００１３】
更に、外側容器の外表面を鏡面加工による光沢層としてなる合成樹脂製二重容器を特徴とする。
【考案の効果】
【００１４】
本考案は、着色された内側容器の外側に融合状態で透明又は半透明の外側容器を融合一体化して二重容器を成形しているので、内側及び外側容器の各々に別々の色層を形成した二重容器とは異なり、二重容器の境界領域に内側容器に着色した濃淡層を形成することができ、立体感のある奥行の生じる着色層を容器の厚さとなる内側に形成することが可能となった。
【００１５】
また、内側容器と外側容器とが融合一体化されるので、その境界が不明となり、二重成形された成形物であることを判別することができず、その境界に空気層が生じることもなく、且つ内側及び外側容器が分離することのおそれがない二重容器が可能となった。
【００１６】
更に、内側及び外側容器の容器厚を厚くすることにより、重量感を出し、且つ、内側の着色層から外側に向かってその色の薄くなった色層及び透明又は半透明の層へと変化する奥行の深い色層を有する容器を提供することが可能となった。
【考案を実施するための最良の形態】
【００１７】
以下、本考案の合成樹脂製二重容器を図面に沿って説明する。
【実施例１】
【００１８】
図１は、本考案の合成樹脂製二重容器の蓋を除いた状態の正面図、図２は同平面図及び図３は同底面図である。
合成樹脂製二重容器１は、化粧料等を収納する容器で、図４の断面図に示すように、内側容器２に融合状態で外側容器３を一体化して成るものである。
【００１９】
内側容器２は、底部４と側壁部５とよりなる上方が開放した筒状或いは様々な形状をした容器で、その上端部には蓋（不図示）を嵌合するための螺合嵌着等の嵌着部６を構成している。
【００２０】
該内側容器２には、上記嵌着部６の下端部から側壁部５及び底部４へ渡って外側容器３を融合一体化している。
図５に示すように、該外側容器３の上端部は、内側容器２の蓋を取着するために薄く形成した嵌着部６のための凹部７の下端基部へ巻き込み係止するようにして内側へ折り曲げた折曲部８を形成して一体化している。
【００２１】
また、外側容器３は、内側容器２の側壁部５及び周縁部を外方へ突出形成して厚くした膨出部９を有する底部４の凹凸に沿うようにして融合一体化されている。上記内側容器２と外側容器３とは融合した状態で一体的に形成されている。
【００２２】
また、上記内側容器２は、既存の着色材料を使用して合成樹脂の射出成形によって成形される。該射出成形によって金型から取り出された該内側容器２は、外側容器３を射出成形する金型として装着され、該外側容器３の内側を形成する金型の役割を成す。
【００２３】
上記射出成形機に装填された内側容器２の表面と他の金型との間に合成樹脂を充填し、外側容器３を成形する。上記外側容器３の合成樹脂材料は、該内側容器２の材料と同一であり、且つ透明或いは半透明とする。
【００２４】
上記射出成形により内側容器２を成形した樹脂と外側容器３を成形した樹脂とはその外表面及び内表面において射出成形時における熱により互いに溶け合い、双方が混合して融合状態となる。
【００２５】
上記合成樹脂の二重容器の製造により内側容器２の着色部分が透明又は半透明の外側容器３側へ入り込み、内側容器の外方側の境界領域において内側容器側から外側容器側へかけて着色状態が薄くなる濃淡層が生じることになる。
【００２６】
また、内側容器２と外側容器３とが融合状態で一体化されるので、外観からでは当該二重容器が内側及び外側の容器よりなる二重容器で成形されたものであることは判別することはできない状態となる。
【００２７】
更に、内側容器２及び外側容器３の容器厚を１ｍｍ〜５ｍｍとすることにより重量感を出すことができ、質感も得られる容器を提供することが可能となった。
【００２８】
また、外側容器３の表面を鏡面加工とすることにより、光沢を生じさせ、更に、例えば転写、ホットスタンプ、シルク印刷、ＵＶ印刷及びシール等による二次的加飾を容易に行なうことを可能としている。
【図面の簡単な説明】
【００２９】
【図１】本考案の合成樹脂製二重容器の正面図。
【図２】本考案の合成樹脂製二重容器の平面図。
【図３】本考案の合成樹脂製二重容器の底面図。
【図４】本考案の合成樹脂製二重容器の断面図。
【図５】本考案の合成樹脂製二重容器の一部拡大断面図。
【符号の説明】
【００３０】
１          合成樹脂製二重容器
２          内側容器
３          外側容器
４          底部
５          側壁部
６          嵌着部
７          凹部
８          折曲部
９          膨出部
【図１】
0003114093.tif 000003
【図２】
0003114093.tif 000004
【図３】
0003114093.tif 000005
【図４】
0003114093.tif 000006
【図５】
0003114093.tif 000007